(57)【要約】【課題】配電系統のシミュレーション装置や訓練装置における原籍系統初期化においては、全開閉器数だけ繰り返し実施しているため多大な時間を要している。【解決手段】シミュレーション及び配電系統訓練時の初期化において、先ず、全開閉器を一括入り状態にセットした後、連係開閉器のみを切り状態に設定することにより短時間での初期化処理を可能とした。【選択図】  図１
2005148423.tif 000002
【特許請求の範囲】
【請求項１】
区分開閉器及び連係開閉器を有する配電システムのシミュレーション装置や配電系統訓練装置であって、その装置における配電系統の原籍系統初期化処理において、
前記シミュレーション及び配電系統訓練時に全開閉器を一括入り状態にセットした後、連係開閉器のみを切り状態に設定することを特徴とした配電系統の原籍系統初期化方法。  
【請求項２】
配電系統の連係開閉器リストを作成し、このリストに基づいて切り状態に設定することを特徴とした請求項１記載の配電系統の原籍系統初期化方法。
【請求項３】
前記配電系統訓練装置の訓練卓は複数個有することを特徴とした請求項１又は２記載の配電系統の原籍系統初期化方法。
【発明の詳細な説明】
【技術分野】
【０００１】
本発明は配電系統訓練装置の初期化方法に係わり、特に配電系統の開閉器を監視制御する配電系統内の開閉器状態を高速に初期化するための方法に関するものである。
【背景技術】
【０００２】
電力各社では、電力の供給信頼度の向上、系統運用の効率化、省力化を実現させることを目的として配電自動化システムを導入し、そのシステム運用習得などのためのシミュレーション及び運用訓練を行う配電系統訓練装置が導入されている。この訓練装置は配電自動化システムと同様の機能と訓練用機能が付加されたもので、その構成はコンピュータ、教官卓や複数の研修卓などを備えている。
図４は電力供給ルートが電源Ａと電源Ｂよりなる配電系統例を示したものである。すなわち、１がＡ側の電源で、この電源１より区分開閉器２（２1，２2〜２ｎ）を介して電力が供給される。３は配電線を連係するための連係開閉器で、常時は開路状態となっている。１０はＢ側の電源で、この電源１０より区分開閉器１１（１１1〜１１n−1，１１n）介して電力が供給される。
【０００３】
配電系統はその複雑さのために配電自動化システムが採用されているが、配電系統は原則として図５で示すような原籍系統の運用となっている。すなわち、同図において一点鎖線で示すエリアが本来電源１より供給される適正範囲であり、また、点線で示すエリアが電源１０の電力供給範囲で、各供給範囲ないの区分開閉器はそれぞれ投入（入り状態）され、連係開閉器は解放（切り状態）されている。
【０００４】
なお、配電系統のシミュレーション及び訓練装置については特許文献１のものがある。      
【０００５】
【特許文献１】特開２０００−１８１３３６号公報
【発明の開示】
【発明が解決しようとする課題】
【０００６】
図４で示すような原籍系統状態の運用は理想的であるが、実際には事故や或る区分開閉器間における工事及び負荷調整などにより図５で示すような運用を強いられる場合が多い。図５では連係開閉器３が入りとなり、区分開閉器１１nが切り状態とされ、電源１の供給範囲が本来の電源１０の供給範囲にまで拡大した場合である。訓練装置においては、当然ながらこのような状態時のシミュレーションや対応訓練が行われ、訓練後などにおいては原籍系統状態に戻す必要がある。
【０００７】
原籍系統状態に戻す方法としては、１個１個の開閉器の種別を判断し、区分開閉器の場合には入り、連係開閉器の場合には切りといった手順を開閉器数分繰り返している。図３はその処理方法のフローを示したもので、ステップＳ０で処理開始されると、Ｓ１で開閉器全部の処理が終了したか否かを判断し、処理終了時にはＳ５で処理終了となるが、終了してない場合にはステップＳ２に移って開閉器は区分開閉器が否かを判断する。もしも、判断該当の開閉器が区分開閉器の場合にはＳ４においてその状態を入りにセットする。Ｓ２で区分開閉器でなかった場合、すなわち、連係開閉器であった場合にはＳ３で切り状態にセットする。この手順を処理終了まで繰り返す。
しかし、配電系統内の開閉器数は数万個〜数百万個に及ぶ場合があり、シミュレーションの都度繰り返し実施しているため時間がかかる等の問題を有している。  そこで、本発明が目的とするところは、原籍系統状態に短時間にて戻すための配電系統訓練装置の初期化方法を提供することにある。
【課題を解決するための手段】
【０００８】
本発明の第１は、区分開閉器及び連係開閉器を有する配電システムのシミュレーション装置や配電系統訓練装置であって、その装置における配電系統の原籍系統初期化処理において、
前記シミュレーション及び配電系統訓練時に全開閉器を一括入り状態にセットした後、連系開閉器のみを切り状態に設定することを特徴としたものである。
【０００９】
本発明の第２は、配電系統の連係開閉器リストを作成し、このリストに基づいて切り状態に設定することを特徴としたものである。
【００１０】
本発明の第３は、前記配電系統訓練装置の訓練卓は複数個有することを特徴としたものである。
【発明の効果】
【００１１】
以上のとおり、本発明によれば、配電システムのシミュレーションや配電系統訓練時の原籍系統初期化処理において、全開閉器を一括入りセットした後、連係開閉器のみを切りにしたものであるから、その処理時間は大幅に短縮されるものである。
【発明を実施するための最良の形態】
【００１２】
図１は本発明の実施例を示す処理フローを示したものである。通常、配電自動化システムには、そのコンピュータ記憶部において配電系統の設備機器についてのリストが作成され格納されている。配電システム運用習得などのためのシミュレーション装置及び運用訓練を行う配電系統訓練装置においても、訓練に必要な実系統と同様な設備機器リストが格納されており、その中に区分開閉器や連係開閉器のリストが配電系統訓練装置のコンピュータ記憶部に収納されている。
【００１３】
このような配電系統訓練装置において、Ｓ１０でシミュレーションを開始するか、もしくはシミュレーションが終了して配電系統を原籍系統に初期化する場合には、ステップＳ１１において全開閉器をまず一括入りにセットする。その後、Ｓ１２で記憶部に格納されている開閉器リストより連係開閉器のみをリストアップし、この連係開閉器のみを切りに設定してＳ１３原籍系統初期化を終了する。
なお、この原籍系統初期化処理のために、連系開閉器リストは専用のメモリに格納しておき、リストアップ動作を省略してもよいことは勿論である。
【００１４】
本発明によると、配電システム全体の開閉器数が１０万個で、その１０％が連係開閉器であったとすると、一括セットには殆んど時間を要さないので原籍系統初期化に要する時間は連係開閉器のみを選択的にセットする時間だけでよく、したがって、シミュレーションの準備開始処理（原籍系統初期化）は従来の略１０％の時間で可能となる。
【００１５】
図２は配電系統訓練装置において、訓練卓が複数個ある場合を示したものである。各卓ではそれぞれステップＳ２０で運転訓練を開始し、Ｓ２１で一括入りセットし、Ｓ２２で連係開閉器リストによる連係開閉器のみの切り設定をし、Ｓ２３で運転訓練開始準備が完了する。このような複数個の卓が存在し、それぞれの卓にて訓練する場合には、卓数倍に相当する時間の短縮が可能となる。
【図面の簡単な説明】
【００１６】
【図１】本発明の実施形態を示す初期化処理フロー。
【図２】本発明の他の実施形態を示す初期化処理フロー。
【図３】従来の原籍系統初期化フロー。
【図４】配電系統における原籍系統図。
【図５】配電系統における運用状態例図。
【符号の説明】
【００１７】
１，１０…電源  
２，１１…区分開閉器  
３…連係開閉器  
【図１】
2005148423.tif 000003
【図２】
2005148423.tif 000004
【図３】
2005148423.tif 000005
【図４】
2005148423.tif 000006
【図５】
2005148423.tif 000007